(57)【要約】      （修正有）【課題】重複することなく印刷ジョブを実行可能な画像形成装置及びその制御方法、並びにプログラムを提供する。【解決手段】画像形成装置は、ユーザがログインした際に、実行手段が未印刷ジョブを実行すること、全ての印刷ジョブを実行すること、及び印刷ジョブを実行しないこと、のうちのいずれかをユーザに選択させ、留め置き印刷機能により実行可能な印刷ジョブのうち、未だに実行されていない印刷ジョブである未印刷ジョブを実行するようにした。【選択図】図７
2015139981.tif 000002
【特許請求の範囲】
【請求項１】
上位装置から印刷ジョブを実行するためのジョブデータを送信させたユーザが画像形成装置にログインすることで前記印刷ジョブを実行可能な留め置き印刷機能を有する画像形成装置であって、
前記ユーザが前記画像形成装置にログインするために前記ユーザを認証する認証手段と、
前記認証手段により前記ユーザが認証されることで前記画像形成装置に前記ユーザがログインした際に、前記留め置き印刷機能により実行可能な印刷ジョブのうち、未だに実行されていない印刷ジョブである未印刷ジョブを実行する実行手段と
を有することを特徴とする画像形成装置。
【請求項２】
前記実行手段は、前記留め置き印刷機能により実行可能な全ての印刷ジョブをさらに実行可能であり、
前記実行手段が前記未印刷ジョブを実行すること、前記実行手段が前記全ての印刷ジョブを実行すること、及び前記実行手段が前記印刷ジョブを実行しないこと、のうちのいずれかを前記ユーザに選択させることを特徴とする請求項１記載の画像形成装置。
【請求項３】
前記選択は、前記ユーザがログインしている状態、または前記ユーザがログインする際に行われることを特徴とする請求項２記載の画像形成装置。
【請求項４】
上位装置から印刷ジョブを実行するためのジョブデータを送信させたユーザが画像形成装置にログインすることで前記印刷ジョブを実行可能な留め置き印刷機能を有する画像形成装置の制御方法であって、
前記ユーザが前記画像形成装置にログインするために前記ユーザを認証する認証ステップと、
前記認証ステップにより前記ユーザが認証されることで前記画像形成装置に前記ユーザがログインした際に、前記留め置き印刷機能により実行可能な印刷ジョブのうち、未だに実行されていない印刷ジョブである未印刷ジョブを実行する実行ステップと
を有することを特徴とする制御方法。
【請求項５】
上位装置から印刷ジョブを実行するためのジョブデータを送信させたユーザが画像形成装置にログインすることで前記印刷ジョブを実行可能な留め置き印刷機能を有する画像形成装置の制御方法をコンピュータに実行させるためのプログラムであって、
前記制御方法は、
前記ユーザが前記画像形成装置にログインするために前記ユーザを認証する認証ステップと、
前記認証ステップにより前記ユーザが認証されることで前記画像形成装置に前記ユーザがログインした際に、前記留め置き印刷機能により実行可能な印刷ジョブのうち、未だに実行されていない印刷ジョブである未印刷ジョブを実行する実行ステップと
を有することを特徴とするプログラム。
【発明の詳細な説明】
【技術分野】
【０００１】
本発明は、画像形成装置及びその制御方法、並びにプログラムに関する。
【背景技術】
【０００２】
近年、セキュリティを担保するために、プリンタドライバから投入された印刷ジョブを実行するためのデータ（以下、「ジョブデータ」という）を一旦画像形成装置のハードディスクに記憶し、ユーザが画像形成装置の操作部から認証後、記憶したジョブデータを用いて印刷ジョブを実行する画像形成装置が存在する。
【０００３】
画像形成装置はジョブデータを記憶する際に、印刷ジョブに関する情報である書誌情報を記憶して、管理する。書誌情報はジョブデータが記憶されている画像形成装置以外の記憶装置で管理される場合もある。
【０００４】
画像形成装置は、認証されたユーザの書誌情報を操作部にリスト表示して、ユーザは表示されたリストから所望の書誌情報を選択して印刷指示することで、対応する印刷ジョブが実行される。
【０００５】
さらに操作性の向上を目的として、ユーザ認証後に、認証されたユーザのジョブデータが記憶されている場合には、ユーザによる選択操作を省略して自動的に印刷を開始する画像形成装置が提案されている（例えば、特許文献１参照）。
【先行技術文献】
【特許文献】
【０００６】
【特許文献１】特開２０１１−２２３１８０号公報
【発明の概要】
【発明が解決しようとする課題】
【０００７】
しかしながら、特許文献１で提案された画像形成装置では、記憶されているジョブデータを用いて自動的に印刷ジョブを実行した場合に、過去に実行されて既に印刷を終えた印刷ジョブが再び実行されることとなる。
【０００８】
このように、従来技術では、既に実行された印刷ジョブまで実行されるので、重複して印刷されるという問題点があった。
【０００９】
本発明の目的は、重複することなく印刷ジョブを実行可能な画像形成装置及びその制御方法、並びにプログラムを提供することにある。
【課題を解決するための手段】
【００１０】
上記目的を達成するために、請求項１の画像形成装置は、上位装置から印刷ジョブを実行するためのジョブデータを送信させたユーザが画像形成装置にログインすることで前記印刷ジョブを実行可能な留め置き印刷機能を有する画像形成装置であって、前記ユーザが前記画像形成装置にログインするために前記ユーザを認証する認証手段と、前記認証手段により前記ユーザが認証されることで前記画像形成装置に前記ユーザがログインした際に、前記留め置き印刷機能により実行可能な印刷ジョブのうち、未だに実行されていない印刷ジョブである未印刷ジョブを実行する実行手段とを有することを特徴とする。
【発明の効果】
【００１１】
本発明によれば、ユーザがログインした際に、留め置き印刷機能により実行可能な印刷ジョブのうち、未だに実行されていない印刷ジョブである未印刷ジョブを実行するので、重複することなく印刷ジョブを実行することができる。
【図面の簡単な説明】
【００１２】
【図１】本発明の実施の形態に係る画像形成装置を含む画像形成システムの概略構成を示す図である。
【図２】図１における画像形成装置のソフトウェア構成を示す図である。
【図３】図３（Ａ）は、図１におけるＰＣの概略構成を示す図であり、図３（Ｂ）はＰＣのソフトウェア構成を示す図である。
【図４】図２における画像形成装置のＨＤＤに記憶される各種情報を示す図である。
【図５】図２における画像形成装置の操作部に表示される各種画面を示す図である。
【図６】図３のＰＣのＣＰＵにより実行されるジョブデータ送信処理と、図１の画像形成装置のＣＰＵにより実行されるジョブデータ受信処理の手順を示すフローチャートである。
【図７】図１の画像形成装置のＣＰＵにより実行される自動印刷処理の手順を示すフローチャートである。
【発明を実施するための形態】
【００１３】
以下、本発明の実施の形態について図面を参照しながら詳述する。
【００１４】
図１は、本発明の実施の形態に係る画像形成装置１０２を含む画像形成システム１００の概略構成を示す図である。
【００１５】
図１において、画像形成システム１００は、画像形成装置１０２、及びＰＣ１０１で構成され、ＬＡＮ１０５により接続されている。
【００１６】
上位装置であるＰＣ１０１は、画像形成装置１０２に印刷ジョブを実行させるためのＰＤＬデータを含むジョブデータを画像形成装置１０２に送信する。ジョブデータを受信した画像形成装置１０２は、受信後直ちに印刷する通常印刷機能と、ジョブデータや後述する書誌情報などを一旦記憶し、ユーザを認証後に、記憶したジョブデータなどを用いて印刷ジョブを実行する留め置き印刷機能とを有している。
【００１７】
次に画像形成装置１０２について説明する。画像形成装置１０２は、コントローラユニット２０１、操作部２０７、スキャナ２１０、及びプリンタ２１１で構成される。
【００１８】
操作部２０７は、コントローラユニット２０１の指示に従ってユーザに各種情報を表示したり、ユーザの操作指示を受け付け、コントローラユニット２０１に出力する。
【００１９】
スキャナ２１０は、原稿を光学的に読み取ることで得られた画像データをコントローラユニット２０１に出力する。プリンタ２１１は、コントローラユニット２０１から出力された印刷用の画像データを用いて紙などの記録媒体に画像を印刷する。
【００２０】
また、コントローラユニット２０１は、ＣＰＵ２０２、ＲＡＭ２０３、操作部インタフェース２０６、ネットワークインタフェース２０８、ＲＯＭ２０４、ＨＤＤ２０５、及びデバイスインタフェース２０９で構成され、これらはシステムバス２１２で接続される。
【００２１】
ＣＰＵ２０２は、コントローラユニット２０１を制御することで、画像形成装置１０２全体を制御する。ＲＡＭ２０３は、ＣＰＵ２０２のワークエリアとして用いられたり、各種データや各種プログラムを記憶する。
【００２２】
操作部インタフェース２０６は、コントローラユニット２０１と操作部２０７とのインタフェースである。ネットワークインタフェース２０８は、ＬＡＮ１０５とのインタフェースである。
【００２３】
ＲＯＭ２０４は、ブートプログラムなどの各種プログラムや各種データを記憶する。ＨＤＤ２０５は、各種プログラムや画像データなどの各種データを記憶する。デバイスインタフェース２０９は、スキャナ２１０及びプリンタ２１１とコントローラユニット２０１とのインタフェースである。
【００２４】
以上説明した画像形成システム１００において、一例としてＰＣ１０１がジョブデータを送信しているが、タブレットやスマートフォンなどがジョブデータを送信するようにしてもよい。
【００２５】
図２は、図１における画像形成装置１０２のソフトウェア構成を示す図である。
【００２６】
図２において、画像形成装置１０２のソフトウェア３０１は、ＵＩ制御部３０２、認証部３０３、データ管理部３０４、記憶制御部３０５、ネットワーク制御部３０６、ジョブ管理部３０７、及ぶジョブ制御部３０８で構成される。これらソフトウェアを実行するためのプログラムは、ＲＡＭ２０３、ＲＯＭ２０４、またはＨＤＤ２０５に記憶され、ＣＰＵ２０２により実行される。
【００２７】
ＵＩ制御部３０２は、ユーザが操作部２０７で入力した情報を操作部インタフェース２０６を経由して受信し、その情報を認証部３０３、データ管理部３０４、及びジョブ管理部３０７に送信する。
【００２８】
また、ＵＩ制御部３０２は、認証部３０３、データ管理部３０４、及びジョブ管理部３０７からの応答を受信し、その情報を操作部インタフェース２０６を経由して操作部２０７に送信する。
【００２９】
認証部３０３は、ＵＩ制御部３０２から受信した認証情報に基づいてユーザ認証処理を行い、認証結果を送信する。
【００３０】
データ管理部３０４は、ＵＩ制御部３０２、ネットワーク制御部３０６、及びジョブ管理部３０７から要求されたデータを記憶制御部３０５により記憶したり、それらから要求されたデータを記憶制御部３０５により読み出して要求元に送信する。
【００３１】
また、データ管理部３０４は、記憶制御部３０５からの応答を受信し、その情報をＵＩ制御部３０２、ネットワーク制御部３０６、及びジョブ管理部３０７に送信する。
【００３２】
記憶制御部３０５は、データ管理部３０４から要求されたデータをＨＤＤ２０５に記憶したり、データ管理部３０４から要求されたデータをＨＤＤ２０５から読み出して、記憶結果または読み出し結果をデータ管理部３０４に送信する。
【００３３】
ネットワーク制御部３０６は、ＬＡＮ１０５に接続されたＰＣ１０１や不図示の他の画像形成装置からの要求をネットワークインタフェース２０８を経由して受信する。そして、ネットワーク制御部３０６は受信した要求に応じてデータ管理部３０４、及びジョブ管理部３０７に処理を要求する。
【００３４】
また、ネットワーク制御部３０６は、データ管理部３０４、及びジョブ管理部３０７からの応答を受信する。そして、ネットワーク制御部３０６は、受信した応答をネットワークインタフェース２０８を経由してＬＡＮ１０５に接続されたＰＣ１０１や他の画像形成装置に送信する。
【００３５】
ジョブ管理部３０７は、ＵＩ制御部３０２、及びネットワーク制御部３０６からのジョブ実行要求を受信し、ジョブを管理する。そして、ジョブ管理部３０７はジョブ制御部３０８にジョブ実行を要求する。
【００３６】
また、ジョブ管理部３０７は、データ管理部３０４にデータの記憶を要求したり、データの読み出しを要求する。さらに、ジョブ管理部３０７はデータ管理部３０４、及びジョブ制御部３０８からの応答を受信し、ＵＩ制御部３０２、及びネットワーク制御部３０６に対して、ジョブの状態を送信する。
【００３７】
ジョブ制御部３０８は、ジョブ管理部３０７からのジョブ実行要求を受信し、デバイスインタフェース２０９を経由してスキャナ２１０、及びプリンタ２１１の動作を制御する。また、ジョブ制御部３０８はスキャナ２１０、プリンタ２１１の動作状態をデバイスインタフェース２０９を経由して受信し、ジョブ管理部３０７にそれらを送信する。
【００３８】
図３（Ａ）は、図１におけるＰＣ１０１の概略構成を示す図であり、図３（Ｂ）はＰＣ１０１のソフトウェア構成を示す図である。
【００３９】
図３（Ａ）において、ＰＣ１０１は、ＣＰＵ４０１、ＲＯＭ４０２、ＲＡＭ４０３、ＨＤＤ４０４、入力装置４０５、表示装置４０６、及びネットワークインタフェース４０７で構成される。
【００４０】
ＣＰＵ４０１は、ＰＣ１０１全体を制御する。ＲＯＭ４０２は、ブートプログラムなどの各種プログラムや各種データを記憶する。ＲＡＭ４０３は、ＣＰＵ４０１のワークエリアとして用いられたり、各種データや各種プログラムを記憶する。
【００４１】
ＨＤＤ４０４は、各種プログラムや画像データなどの各種データを記憶する。入力装置４０５は、ユーザの操作指示を受け付けるマウス、キーボード、またはタッチパネルなどである。表示装置４０６はユーザに各種情報を表示する。ネットワークインタフェース４０７は、ＬＡＮ１０５とのインタフェースである。
【００４２】
ＰＣ１０１がタブレットやスマートフォンの場合では、上述した構成からＨＤＤ４０４を除いた構成が一般的な構成である。
【００４３】
次に、図３（Ｂ）において、ＰＣ１０１のソフトウェア５０１は、アプリケーション５０２、及びプリンタドライバ５０３で構成される。これらソフトウェアを実行するためのプログラムは、ＲＡＭ４０３、ＲＯＭ４０２、またはＨＤＤ４０４に記憶され、ＣＰＵ４０１により実行される。
【００４４】
アプリケーション５０２は、例えばＰＣ１０１の表示装置４０６を見ながら、ポインティングデバイスやキーボードなどの入力装置４０５を用いて、画像データや文書データを作成して、編集するソフトウェアである。ユーザはアプリケーション５０２を用いて画像データや文書データを作成する。
【００４５】
プリンタドライバ５０３は、画像データや文書データから画像形成装置１０２の仕様に従ったデータを作成し、画像形成装置１０２に送信する。
【００４６】
図４は、図２における画像形成装置１０２のＨＤＤ２０５に記憶される各種情報を示す図である。
【００４７】
図４（Ａ）は、書誌情報リストの一例を示す図である。
【００４８】
図４（Ａ）において、書誌情報リスト８０１は、日時、ユーザ名、記憶場所、印刷ジョブ名、印刷設定、及び印刷済みフラグで構成される書誌情報のリストである。
【００４９】
日時は、印刷ジョブデータを受信した日時を示す。ユーザ名はＰＣ１０１から印刷ジョブデータを送信したユーザの名称を示す。記憶場所は、ＨＤＤ２０５でジョブデータが記憶されている場所を示し、本実施の形態ではパスで表現される。
【００５０】
印刷ジョブ名は、印刷ジョブの名称を示し、本実施の形態では、画像データや文書データのファイル名が用いられている。印刷設定は、片面または両面印刷や、カラーまたはモノクロや、１枚の記録媒体に複数ページを印刷する集約印刷など、印刷に係る設定を示す。
【００５１】
印刷済みフラグは、既に印刷を終えた印刷ジョブか否かを示すフラグであり、印刷を終えている場合には、印刷済みとなり、そうでない場合には、未印刷となる。
【００５２】
以上説明した書誌情報のうち、ユーザ名、印刷ジョブ名、及び印刷設定は、受信したジョブデータから取得される。
【００５３】
図４（Ｂ）は、認証後印刷モードテーブル９０１を示す図である。
【００５４】
認証後印刷モードとは、ユーザがログインした際に印刷するか否か、さらに印刷する場合には全てを印刷するか、または未印刷のみ印刷するか否かを示すモードであり、ユーザごとに設定される。
【００５５】
認証後印刷モードテーブル９０１は、ユーザがログインした場合に印刷ジョブを実行しない「ログインのみ」の場合には、「０」となる。
【００５６】
また、ユーザがログインした場合に、ユーザの書誌情報に示される全ての印刷ジョブを自動的に実行する「全て印刷する」の場合には、「１」となる。
【００５７】
そして、ユーザがログインした場合に、ユーザの書誌情報に示される印刷ジョブのうち、印刷済みフラグが未印刷となっている印刷ジョブを自動的に実行する「未印刷のみ印刷する」の場合には、「２」となる。
【００５８】
図５は、図２における画像形成装置１０２の操作部２０７に表示される各種画面を示す図である。
【００５９】
図５（Ａ）は、図４（Ｂ）で説明した認証後印刷モードを設定するための認証後印刷モード設定画面９００を示す図である。
【００６０】
この認証後印刷モード設定画面９００は、ユーザがログインしている状態でユーザが設定するための画面である。そして、ユーザは、上述した「ログインのみ」、「全て印刷する」、及び「未印刷のみ印刷する」のいずれかをラジオボタンで設定可能である。図５（Ａ）に示される画面の場合は、「全て印刷する」を設定する状態となっている。
【００６１】
図５（Ｂ）は、ユーザ認証画面１０００を示す図である。ユーザ認証画面１０００は、ＩＤ入力欄１００１と、パスワード入力欄１００２と、ログインボタン１００３とが設けられた一般的な認証画面である。
【００６２】
図５（Ｃ）は、ユーザ認証画面１１００を示す図である。ユーザ認証画面１１００は、上記ユーザ認証画面１０００と認証後印刷モード設定画面９００の機能を組み合わせた画面である。
【００６３】
同図に示されるように、ユーザ認証画面１０００は、ＩＤ入力欄１００１、パスワード入力欄１００２、及びログインボタン１００３に加え、ログイン後に全て印刷するためのボタン１１０４、及びログイン後に未印刷のみ印刷するためのボタン１１０５とが設けられている。
【００６４】
このように、本実施の形態では、未印刷ジョブを実行すること、全ての印刷ジョブを実行すること、及び印刷ジョブを実行しないこと（ログインのみ）、のうちのいずれかをユーザに選択させるようになっている。また、この選択は、図５（Ａ）に示されるように、ユーザがログインしている状態、または図５（Ｃ）に示されるように、ユーザがログインする際に行われるようになっている。
【００６５】
図６は、図３のＰＣ１０１のＣＰＵ４０１により実行されるジョブデータ送信処理と、図１の画像形成装置１０２のＣＰＵ２０２により実行されるジョブデータ受信処理の手順を示すフローチャートである。
【００６６】
図６において、ＰＣ１０１でユーザが印刷を指示すると、プリンタドライバ５０３は、アプリケーション５０２で作成されたデータ、そのファイル名、及び印刷指示時にプリンタドライバに設定されている印刷設定情報などに従ってジョブデータを作成する（ステップＳ１０１）。このジョブデータには、留め置き印刷か否かを示す情報が含まれる。
【００６７】
そして画像形成装置１０２にジョブデータを送信して（ステップＳ１０２）、本処理を終了する。
【００６８】
送信されたジョブデータは、ＬＡＮ１０５により画像形成装置１０２に送信される。ネットワーク制御部３０６はＰＣ１０１からジョブデータを受信すると（ステップＳ１０３）、ジョブ管理部３０７にジョブデータを送信する。
【００６９】
ジョブ管理部３０７はジョブデータを受信すると、ジョブデータが留め置き印刷するジョブデータか否か判別する（ステップＳ１０４）。
【００７０】
ステップＳ１０４の判別の結果、留め置き印刷するジョブデータではないと判別された場合には（ステップＳ１０４でＮＯ）、ジョブ管理部３０７は、ジョブ制御部３０８に印刷ジョブの実行要求を行い、印刷ジョブを実行して（ステップＳ１０９）、本処理を終了する。
【００７１】
一方、ステップＳ１０４の判別の結果、留め置き印刷するジョブデータと判別された場合には（ステップＳ１０４でＹＥＳ）、ジョブ管理部３０７は、データ管理部３０４にジョブデータを送信する。
【００７２】
データ管理部３０４は、ジョブ管理部３０７から受信したジョブデータを解析し、書誌情報に必要な情報を抽出して、書誌情報を作成する（ステップＳ１０５）。
【００７３】
そして、データ管理部３０４は、記憶制御部３０５にジョブデータと書誌情報とを送信する。
【００７４】
記憶制御部３０５は受信したジョブデータをＨＤＤ２０５に記憶する（ステップＳ１０７）。さらに、記憶制御部３０５は書誌情報を書誌情報リスト８０１に追加して（ステップＳ１０７）、本処理を終了する。
【００７５】
図７は、図１の画像形成装置１０２のＣＰＵ２０２により実行される自動印刷処理の手順を示すフローチャートである。
【００７６】
図７において、認証部３０３は、図５（Ｂ）（Ｃ）で説明したいずれかの認証画面を表示して、ユーザ認証を行う（ステップＳ２０１）。ここではユーザが正規のユーザと認証されたとする。このステップＳ２０１は、ユーザが画像形成装置１０２にログインするためにユーザを認証する認証手段に対応する。
【００７７】
なお、このステップＳ２０１でユーザ認証画面１１００を表示した場合には、認証後印刷モードテーブル９０１を更新しておく。
【００７８】
ユーザ認証が行われると、ジョブ管理部３０７は認証部３０３よりログインユーザのユーザ名を取得し、取得したユーザ名を用いて、ユーザ名が含まれる書誌情報を書誌情報リスト８０１から検索することで（ステップＳ２０２）、ログインユーザに対応する書誌情報を探す。
【００７９】
次いで、ジョブ管理部３０７は、検索した結果、ログインユーザに対応する書誌情報があったか否か判別する（ステップＳ２０３）。
【００８０】
ステップＳ２０３の判別の結果、ログインユーザに対応する書誌情報がなかった場合には（ステップＳ２０３でＮＯ）、本処理を終了する。
【００８１】
一方、ステップＳ２０３の判別の結果、ログインユーザに対応する書誌情報があった場合には（ステップＳ２０３でＹＥＳ）、ジョブ管理部３０７は、認証後印刷モードテーブル９０１から認証後印刷モードを取得する（ステップＳ２０４）。
【００８２】
次は認証後印刷モードで分岐する（ステップＳ２０５）。ステップＳ２０５の判別の結果、認証後印刷モードが「ログインのみ」の場合には（ステップＳ２０５でログインのみ）、本処理を終了して、画像形成装置１０２はログインユーザのログイン状態となる。
【００８３】
一方、ステップＳ２０５の判別の結果、認証後印刷モードが「全て印刷する」の場合には（ステップＳ２０５で全て印刷する）、ジョブ管理部３０７は、ユーザ名を含む書誌情報に示される全ての印刷ジョブを実行する（ステップＳ２０６）。このように、本実施の形態では、留め置き印刷機能により実行可能な全ての印刷ジョブを実行可能となっている。
【００８４】
次いで、ジョブ管理部３０７は印刷済みフラグが未印刷となっている書誌情報の印刷済みフラグを印刷済みにすることで印刷済みフラグを更新して（ステップＳ２０８）、本処理を終了する。
【００８５】
一方、ステップＳ２０５の判別の結果、認証後印刷モードが「未印刷のみ印刷する」の場合には（ステップＳ２０５で未印刷のみ印刷する）、ジョブ管理部３０７は、ユーザ名を含む書誌情報に示される印刷ジョブのうち、印刷済みフラグが未印刷となっている印刷ジョブを実行する（ステップＳ２０７）。このステップＳ２０７は、ユーザがログインした際に、留め置き印刷機能により実行可能な印刷ジョブのうち、未だに実行されていない印刷ジョブである未印刷ジョブを実行する実行手段に対応する。
【００８６】
次いで、ジョブ管理部３０７は印刷済みフラグが未印刷となっている書誌情報の印刷済みフラグを印刷済みにすることで印刷済みフラグを更新して（ステップＳ２０８）、本処理を終了する。
【００８７】
図７の自動印刷処理によれば、ユーザ認証後にユーザの印刷ジョブを自動で印刷することができるので、利便性を向上できる。
【００８８】
以上説明したように、本実施の形態によれば、ユーザがログインした際に、留め置き印刷機能により実行可能な印刷ジョブのうち、未だに実行されていない印刷ジョブである未印刷ジョブを実行するので（ステップＳ２０７）、重複することなく印刷ジョブを実行することができる。これにより、重複して印刷することを防止できるので、紙などの記録媒体、トナーまたはインク、及び電気などの資源の浪費を抑制できる。
【００８９】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００９０】
１００  画像形成システム
１０１  ＰＣ
１０２  画像形成装置
２０２，４０１  ＣＰＵ
２０３，４０３  ＲＡＭ
２０４，４０２  ＲＯＭ
２０５，４０４  ＨＤＤ
２０７  操作部
２１１  プリンタ
３０２  ＵＩ制御部
３０３  認証部
３０４  データ管理部
３０５  記憶制御部
３０７  ジョブ管理部
３０８  ジョブ制御部
【図１】
2015139981.tif 000003
【図２】
2015139981.tif 000004
【図３】
2015139981.tif 000005
【図４】
2015139981.tif 000006
【図５】
2015139981.tif 000007
【図６】
2015139981.tif 000008
【図７】
2015139981.tif 000009